(57)【特許請求の範囲】
【請求項１】
地山の法面を覆うようにネットを張り、該ネットに緑化材を吹き付けて該ネットに絡む緑化材層を形成して成る法面緑化構造において、上記法面を覆うネットは合成樹脂製の正格子ネットであり、該正格子ネットを形成する合成樹脂製の第１格子形成線材と合成樹脂製の第２格子形成線材は互いに段違いに重ね組みした格子組み構造を有し、上記第１格子形成線材と第２格子形成線材の一方は法面に対し横方向に配向すると共に他方は法面に対し縦方向に配向し、更に各横方向格子形成線材を各縦方向格子形成線材に対し高位に配置して各横方向格子形成線材間に沿い延在する横方向段落ちスペースを形成し、上記緑化材は該段落ちスペース内に充填され各横方向格子形成線材に係止して上記緑化材層を形成しており、更に上記横方向格子形成線材の前面に沿い緑化材の滑りを防止するアンカーリブを設けたことを特徴とする法面緑化構造。
【請求項２】
上記法面側の低位の上記縦方向格子形成線材が大径であり、上記高位の横方向格子形成線材が小径であることを特徴とする請求項１記載の法面緑化構造。
【発明の詳細な説明】
【０００１】
【発明の属する技術分野】
本発明はネットを使用した地山の法面の吹き付け緑化構造に関する。
【０００２】
【従来の技術】
従来地山の法面を覆うようにネットを張り、該ネットに種子とバーク堆肥又はピートモス等とを水を介して混練した緑化材を吹き付けて、該ネットに絡む緑化材層を形成する法面緑化構造が既知である。
【０００３】
上記緑化材は例えば特開平８−９２９６１号や特開２０００−１７８９７８号等に示されている。
【０００４】
この法面緑化においては、金属製の第１格子形成線材と金属製の第２格子形成線材をメリヤス編み組みした方形の金属製ネットを用いている。この金属製ネットは方形の縦辺と横辺に対し各格子形成線材が４５度傾斜角を以って傾いた編み組み構造を有している。
【０００５】
【発明が解決しようとする課題】
而して上記金属製の第１格子形成線材と金属製の第２格子形成線材は防錆のため亜鉛メッキ金属線材を用いているが、発芽し且つ根張りした緑化層内に置かれるため経年劣化は避け難く、断線による緑化材層（緑化層）の崩落事故が問題となっている。
【０００６】
又上記ネットは網目内に緑化材を係留し緑化材層を定着する機能を有しているが、上記の如くメリヤス編み組みしたネット構造では各線材による緑化材の係留効果を充分に得難く、法面に対し各格子形成線材が必然的に４５度傾斜角で配向されることと相俟って、吹き付けられた緑化材及び緑化材層並びに発芽後の緑化層の滑り、ひいては崩落の問題を有している。
【０００７】
【課題を解決するための手段】
本発明は上記問題を適切に解決する法面緑化構造を提供することを目的としている。この法面緑化構造においては、上記法面を覆うネットとして合成樹脂製の正格子ネットを用いる。該正格子ネットは合成樹脂製の第１格子形成線材と合成樹脂製の第２格子形成線材が互いに段違いに重ね組みした格子組み構造を有する。
【０００８】
そして上記第１格子形成線材と第２格子形成線材の一方は法面に対し横方向に配向すると共に他方は法面に対し縦方向に配向する。
【０００９】
更に各横方向格子形成線材を各縦方向格子形成線材に対し高位に配置して、即ち各縦方向格子形成線材を低位に配置すると共に各横方向格子形成線材を高位に配置して、各横方向格子形成線材間に沿い延在する横方向段落ちスペースを形成する。
【００１０】
上記ネットに緑化材を吹き付け、該緑化材は吹き付け力によってネットの網目内に充填されつつ、上記横方向段落ちスペース内に充填されて各横方向格子形成線材に係止し、上記ネットを覆う緑化材層を形成する。
【００１１】
上記法面緑化構造においては、第１，第２格子形成線材が低位と高位に配置した構造によって嵩高となり、緑化材層の厚みを充分に確保する。同時に高位に配置した横方向格子形成線材により横方向段落ちスペース内に充填された緑化材を効果的に係留し、緑化材層を安定に定着することができる。
【００１２】
殊に緑化材層乃至発芽後の緑化層内に埋設されるネットの経年劣化を有効に防止し、断線による緑化層の崩落を有効に防止し、上記定着効果を維持する。
【００１３】
上記横方向格子形成線材にはその前面に沿い緑化材の滑りを防止するアンカーリブを一体成形し、該横方向格子形成線材による緑化材係止効果を向上する。
【００１４】
上記法面側の低位の上記縦方向格子形成線材は大径にし、上記高位の横方向格子形成線材は小径にして大径の縦方向格子形成線材により荷重に対する強度を担わせ、且つ横方向格子形成線材を安定に支持する。
【００１５】
【発明の実施の形態】
以下本発明の実施の形態を図１乃至図７に基づいて説明する。
【００１６】
前記の通り本発明は地山の法面１を覆うようにネット２を張り、該ネット２に緑化材３を吹き付け、該吹きつけにより緑化材３を該ネット２に絡ませてネット全面に緑化材層４を形成して成る法面緑化構造である。
【００１７】
この法面緑化構造においては、上記法面１を覆うネットとして図２，図３等に示す如き合成樹脂製の正格子ネット２を用いる。該正格子ネット２は合成樹脂製の第１格子形成線材５と合成樹脂製の第２格子形成線材６が互いに段違いに重ね組みした格子組み構造を有する。第１，第２格子形成線材５，６は略直角に交差し、正方形又は長方形の網目９を形成している。
【００１８】
上記第１格子形成線材５と第２格子形成線材６は各交差部において母材融着して正格子ネット２を形成している。
【００１９】
又図６に示すように、この正格子ネット２は上記各交差部において第２格子形成線材６の両側面と第１格子形成線材５の頂面とを結合するデルタ形のネック部７を有する。換言すると、第２格子形成線材６はこのネック部７を介して第１格子形成線材５に結合し、一方又は双方のネック部７は第１，第２格子形成線材５，６の交差部のコーナー部を横切るように張り出している。８はこの張り出し部を示している。
【００２０】
ネック部７は各格子形成線材５，６と同一の合成樹脂から成り、このネック部７によって両線材５，６の結合を強化すると共に、特に張り出し部８によって緑化材３を係止する。
【００２１】
而して図１等に示すように、上記合成樹脂製の正格子ネット２を地山の法面１を覆うように張り、図７に示すように、地山の要所要所に止め具１２を打ち込んで該止め具１２のフック部１３に両線材５，６の交差部を掛け止めし、法面１の覆い状態を保つ。
【００２２】
上記第１格子形成線材５と第２格子形成線材６の一方は法面１に対し横方向（ＧＬに対し略水平方向）に配向すると共に、他方は法面１に対し縦方向（法面１の天地方向）に配向する。図示においては、第１格子形成線材５を縦方向に配向し、第２格子形成線材６を横方向に配向している。
【００２３】
更に図２，図３に示すように、各横方向格子形成線材６を各縦方向格子形成線材５に対し高位に配置する。即ち各縦方向格子形成線材５を低位に配置すると共に各横方向格子形成線材６を高位に配置して、各横方向格子形成線材６間に沿い延在する横方向段落ちスペース１０を形成する。
【００２４】
上記合成樹脂製の正格子ネット２に緑化材３を吹き付け、図５に示すように該緑化材３を該吹き付け力によって正格子ネット２の網目９内に充填しつつ、図３，図４に示すように上記横方向段落ちスペース１０内に充填して各横方向格子形成線材６に係止する。よって図３，図４等に示すように、上記ネット２に絡み且つネット２全面を覆う緑化材層４を形成する。
【００２５】
この時上記ネック部７の張り出し部８は各横方向格子形成線材６と協働して緑化材３の係止機能を担う。
【００２６】
上記緑化材３は既知のものであり、例えば前記特開平８−９２９６１号や特開２０００−１７８９７８号に示されているバーク堆肥又はピートモス等の有機繊維材に植物種子を混合したものを主体とし、これに水を加え混練して上記正格子ネット２に吹き付ける。
【００２７】
上記法面緑化構造においては、第１，第２格子形成線材５，６が低位と高位に配置した構造によって嵩高となり、緑化材層４の厚みを充分に確保する。同時に高位に配置した横方向格子形成線材６により横方向段落ちスペース１０内に充填された緑化材３を効果的に係留し、緑化材層４を安定に定着する。
【００２８】
殊に緑化材層４乃至発芽して生育した緑化層内に埋設されるネット２の錆等の経年劣化を有効に防止し、断線による緑化層の崩落事故を有効に防止する。よって上記緑化材層４の定着並びに緑化層の定着を健全に維持する。
【００２９】
上記横方向格子形成線材６にはその前面（頂面）に沿い緑化材３の滑りを防止するアンカーリブ１１を一体合成樹脂成形し、該横方向格子形成線材６による緑化材係止効果を向上する。
【００３０】
上記アンカーリブ１１は図４に示すように、緑化材３の滑落に対し向かい角をなす段部によって形成される。
【００３１】
上記法面１側の低位の上記縦方向格子形成線材５は大径にし、上記高位の横方向格子形成線材６は小径にして大径の縦方向格子形成線材５により荷重に対する強度を担わせ、且つ横方向格子形成線材６を安定に支持する。
【００３２】
【発明の効果】
本発明によれば、緑化材層をネット及び地山に健全に定着させ、且つ発芽生育後の緑化層を健全に維持し、法面緑化構造として有効である。
【図面の簡単な説明】
【図１】地山の法面を覆うように合成樹脂製の正格子ネットを張装し、緑化材層を形成した状態を、緑化材層を一部切欠して示す正面図。
【図２】上記法面に張装した正格子ネットの段落ちスペースに緑化材層を保持する状態を拡大して示す要部斜視図。
【図３】上記正格子ネットに緑化材を吹き付け層着した状態を、該緑化材層を一部切欠して示す要部正面図。
【図４】図３におけるＡ−Ａ線断面図。
【図５】図３におけるＢ−Ｂ線断面図。
【図６】上記正格子ネットの交差部におけるネック部を示す要部拡大正面図。
【図７】ネットを地山に引き止めする止め具を示す要部拡大断面図。
【符号の説明】
１      法面
２      正格子ネット
３      緑化材
４      緑化材層
５      第１格子形成線材
６      第２格子形成線材
７      ネック部
８      張り出し部
９      網目
１０    横方向段落ちスペース
１１    アンカーリブ
１２    止め具
１３    フック部
【図１】
0003554717.tif 000002
【図２】
0003554717.tif 000003
【図３】
0003554717.tif 000004
【図４】
0003554717.tif 000005
【図５】
0003554717.tif 000006
【図６】
0003554717.tif 000007
【図７】
0003554717.tif 000008